(57)【要約】      （修正有）【課題】磁性キャリア及び非磁性トナーを用いた現像装置において、現像履歴現象を確実に防止する。【解決手段】現像装置には二成分現像剤が用いられる。現像装置は、感光体ドラムに対向して配置されトナーによって静電潜像を現像する現像ローラ１４と、現像ローラと対向して配置され複数の磁気ローラ磁極が形成される固定マグネットローラ体１３ａを有し二成分現像剤保持してトナーを現像ローラに供給する磁気ローラ１３とを有している。現像ローラは、非磁性の回転スリーブ１４ａと、両端に配設された磁性体のフランジ体４１及び４２によって回転スリーブを回転可能に支持する回転軸体１４ｃと、一端側に現像ローラ磁極が形成され他端側が回転軸体に固定されたマグネット体１４ｂとを有しており、現像ローラ磁極は現像ローラと磁気ローラとの最接近位置において磁気ローラ磁極の一つと対向し、現像ローラ磁極は磁気ローラ磁極の一つと異磁極である。【選択図】図５
2006106028.tif 000002
【特許請求の範囲】
【請求項１】
少なくとも磁性キャリア及びトナーを有する二成分現像剤が用いられ、静電潜像が担持される像担持体に対向して配置され前記トナーによって前記静電潜像を現像してトナー像とする現像ローラと、前記現像ローラと対向して配置され複数の磁気ローラ磁極が形成され軸方向に延びる固定マグネットローラ体を有し前記二成分現像剤を保持して前記トナーを前記現像ローラに供給する磁気ローラとを有する現像装置において、
前記現像ローラは、非磁性の回転スリーブと、該回転スリーブ内でその軸方向に延び前記回転スリーブの両端に配設されたフランジ体によって前記回転スリーブを回転可能に支持する回転軸体と、前記回転スリーブ内に配置されて軸方向に延び一端側に現像ローラ磁極が形成され他端側が前記回転軸体に固定されたマグネット体とを有し、
前記現像ローラ磁極は前記現像ローラと前記磁気ローラとの最接近位置において前記磁気ローラ磁極の一つと対向し、前記現像ローラ磁極と前記磁気ローラ磁極の一つとは互いに異なる極性であり、
前記フランジ体は磁性体であることを特徴とする現像装置。
【請求項２】
前記回転スリーブの軸方向長さは前記磁気ローラの軸方向長さよりも短いことを特徴とする請求項１記載の現像装置。
【請求項３】
前記回転スリーブ上に形成されるトナー薄層形成領域の軸方向長さは前記磁気ローラに形成される磁気ブラシの軸方向長さよりも短いことを特徴とする請求項１記載の現像装置。
【発明の詳細な説明】
【技術分野】
【０００１】
本発明は、複写機、プリンター、又はファクシミリ装置等の画像形成装置で用いられる現像装置に関し、特に、磁性キャリア及び非磁性トナーを有する二成分現像剤を用いる現像装置に関するものである。
【背景技術】
【０００２】
一般に、画像形成装置においては、像担持体である感光体ドラム上に静電潜像が形成され、この静電潜像は現像装置によって現像されてトナー像となる。そして、感光体ドラム上のトナー像は記録用紙に転写され、記録用紙上のトナー像は定着装置によって定着される。このような現像装置において、磁性キャリア及び非磁性トナーを有する二成分現像剤を用いて、感光体ドラム上の静電潜像を現像するものがあり、現像装置は感光体ドラムと対峙する現像ローラ（現像剤担持体）を備えて、磁気ローラによって現像ローラ上にトナー層を形成し、感光体ドラム上の静電潜像を現像する。
【０００３】
ところで、上述のような現像装置では、感光体ドラム上の静電潜像を現像した際、現像ローラ上ではトナー消費されて無くなった部分（消費領域）とトナーが消費されずに残った部分（非消費領域）とが発生して、次回の現像の際に現像に差が生じてしまうことになる。つまり、現像ローラ上のトナー付着状態とトナーの電位差とにバラツキが生じて連続的に現像を行うと前段階の現像履歴現象が発生してしまう（言い換えると、残像（ゴースト）等の画像乱れなどが生じてしまう）。
【０００４】
このような不具合を防止するため、磁気ローラを、現像剤層を搬送する非磁性回転スリーブと、回転スリーブ内に配置された磁極とで構成して、現像ローラと磁気ローラとの対向位置において、磁気ローラ内部の磁極は、磁極中央部における磁極の落ち込み量をその両側のピーク値が反発磁極とならないように設定したものがある（特許文献１）。
【０００５】
さらに、二成分現像剤を用いた現像装置において、磁気ローラ側に形成される軸方向の磁気ブラシ形成領域よりも現像ローラ表面に形成される軸方向のトナー薄層形成領域を小さく形成して、さらにトナー薄層形成領域の両端に、絶縁若しくはトナー抵抗より高い高抵抗領域の非トナー薄層形成領域を形成するようにしたものがあり、これによって、感光体ドラム上に形成される静電潜像域を十分カバーするトナー薄層域を現像ローラ側に得て、現像履歴現象を防止するようにしたものがある（特許文献２参照）。
【０００６】
【特許文献１】特開平６−１３０８１９号公報（第４頁〜第６頁、第４図）
【特許文献２】特開２００３−１０７８９８号公報（第４頁〜第８頁、第１図〜第７図）
【発明の開示】
【発明が解決しようとする課題】
【０００７】
ところが、特許文献１に記載された現像装置では、現像履歴現象を防止するため、磁気ローラ内部の磁極は、磁極中央部における磁極の落ち込み量をその両側のピーク値が反発磁極とならないように設定して、現像ローラ上のトナー層厚を一定に保とうとしているものの、トナー層厚が一定であっても、トナー帯電量が異なると、現像性に差異が生じてしまい、結果的に現像履歴現象を防止することが難しいという課題がある。
【０００８】
さらに、特許文献２に記載された現像装置においては、トナー薄層形成領域を磁気ブラシ形成領域よりも小さくして、現像ローラ上の残留トナーの回収を十分に行えるようにしているものの、実際には現像ローラ（現像ローラを構成する非磁性回転スリーブ）の軸方向長さを磁気ローラの軸方向長さよりも短くしており、このため、非磁性回転スリーブの両端部においてゴースト及び画像濃度不良が発生することがある。
【０００９】
従って、本発明はかかる従来技術の問題に鑑み、現像履歴現象を確実に防止することのできる現像装置を提供することを目的とする。
【課題を解決するための手段】
【００１０】
そこで、本発明はかかる課題を解決するために、少なくとも磁性キャリア及びトナーを有する二成分現像剤が用いられ、静電潜像が担持される像担持体に対向して配置され前記トナーによって前記静電潜像を現像してトナー像とする現像ローラと、前記現像ローラと対向して配置され複数の磁気ローラ磁極が形成され軸方向に延びる固定マグネットローラ体を有し前記二成分現像剤を保持して前記トナーを前記現像ローラに供給する磁気ローラとを有する現像装置において、前記現像ローラは、非磁性の回転スリーブと、該回転スリーブ内でその軸方向に延び前記回転スリーブの両端に配設されたフランジ体によって前記回転スリーブを回転可能に支持する回転軸体と、前記回転スリーブ内に配置されて軸方向に延び一端側に現像ローラ磁極が形成され他端側が前記回転軸体に固定されたマグネット体とを有し、前記現像ローラ磁極は前記現像ローラと前記磁気ローラとの最接近位置において前記磁気ローラ磁極の一つと対向して、前記現像ローラ磁極と前記磁気ローラ磁極の一つとは互いに異なる極性であり、前記フランジ体は磁性体であることを特徴とするものである。
【００１１】
本発明では、前記回転スリーブの軸方向長さは前記磁気ローラの軸方向長さよりも短い。つまり、前記回転スリーブ上に形成されるトナー薄層形成領域の軸方向長さは前記磁気ローラに形成される磁気ブラシの軸方向長さよりも短い。
【発明の効果】
【００１２】
以上のように、本発明の現像装置は、回転スリーブの両端に磁性体のフランジ体を配設して、このフランジ体によって回転スリーブを回転軸体に回転可能に支持するとともに、回転スリーブ内に軸方向に延び一端側に現像ローラ磁極が形成され他端側が回転軸体に固定されたマグネット体を配設して、現像ローラ磁極を磁気ローラ磁極の一つと異磁極（異なる極性）として磁気ローラ磁極の一つと対向させるようにしたので、現像ローラと磁気ローラとの最接近位置において磁気ブラシの拘束力が強くなって、良好な磁気ブラシが形成される結果、現像ローラ上の残ったトナーを確実に磁気ローラ側に回収できることになって、現像履歴現象を確実に防止できるという効果がある。さらに、回転スリーブの軸方向端部においてはフランジ体が磁化されるため、回転スリーブの軸方向端部における磁気ブラシのニップ幅が小さくなることを防止でき、回転スリーブの軸方向端部におけるゴーストの発生及び画像濃度低下を確実に防止できるという効果がある。
【発明を実施するための最良の形態】
【００１３】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１４】
図１は、本発明の実施例１による現像装置が用いられる画像形成装置を概略的に示す図であり、図示の画像形成装置は所謂タンデム型カラー画像形成装置である。図示の画像形成装置１は、各色（イエロー（Ｙ）、マゼンタ（Ｍ）、シアン（Ｃ）、及びブラック（ＢＫ））の画像形成ユニット２ａ〜２ｄを有しており、これら画像形成ユニット２ａ〜２ｄは搬送ベルト３に沿って配列されている。各画像形成ユニット２ａ〜２ｄは、例えば、アモルファスシリコン（ａ−Ｓｉ）系材料を用いた感光体ドラム４を備え、感光体ドラム４の周囲には帯電器５、露光ユニット６、現像装置１０、及びクリーニングユニット７が配置されている。そして、搬送ベルト３を挟んで各感光体ドラム４に対向して転写器８が配置されている。
【００１５】
画像形成ユニット２ａにおいて、感光体ドラム４の表面を帯電器５で均一に帯電した後、画像データに応じて感光体ドラム４の表面を露光して、感光体ドラム４上に静電潜像を形成する。感光体ドラム４上の静電潜像は、現像装置１０によって現像されてトナー像（Ｙトナー像）となる。同様にして、画像形成ユニット２ｂ〜２ｄにおいても、それぞれ感光体ドラム４上にＭトナー像、Ｃトナー像、及びＢＫトナー像が形成される。
【００１６】
一方、給紙装置９ａから用紙搬送路９ｂを介して搬送ベルト３に記録用紙が供給され、記録用紙は搬送ベルト３を搬送されつつ、転写器８によって順次Ｙトナー像、Ｍトナー像、Ｃトナー像、及びＢＫトナー像が転写されて、記録用紙上にカラートナー像が形成される。そして、記録用紙は定着ユニット９ｃに送られて、ここで、カラートナー像が記録用紙上に定着された後、排紙経路９ｄを通って排紙トレイ９ｅに排紙される。
【００１７】
図２及び図３を参照して、図示の現像装置１０は、磁性キャリアと非磁性トナーとを有する二成分現像剤を用いて感光体ドラム４上に形成された静電潜像を現像する。現像装置１０は、現像容器１１を備えており、現像容器１１には二成分現像剤（以下単に現像剤と呼ぶ）が収納されている。現像容器１１は仕切壁１１ａによって第１及び第２の収納室１１ｂ及び１１ｃに区画され、第１及び第２の収納室１１ｂ及び１１ｃにはそれぞれ攪拌ミキサー１２ａ及びパドルミキサー１２ｂが配設されている。
【００１８】
そして、攪拌ミキサー１２ａ及びパドルミキサー１２ｂによって現像剤が攪拌されつつ、軸方向に搬送され、仕切壁１１ａに形成された現像剤通過路を介して第１及び第２の収納室１１ｂ及び１１ｃ間を循環する。図示の例では、現像容器１１は左斜め下方に延在しており、現像容器１１内において、パドルミキサー１２ｂの左斜め下側には磁気ローラ１３が配置され、磁気ローラ１３と対面して磁気ローラ１３の左斜め下側には現像ローラ１４が配置されている。そして、現像ローラ１４は現像容器１１のドラム開口側に面している。図２に示すように、パドルミキサー１２ｂ、磁気ローラ１３、及び現像ローラ１４を配置することによって、パドルミキサー１２ｂから磁気ローラ１３に効率的に現像剤を供給することができる。
【００１９】
なお、現像容器１１には、攪拌ミキサー１２ａと対面してトナーセンサ１２ｃが配置されており、トナーセンサ１２ｃで検知されるトナー濃度に応じてトナーホッパーから現像容器１１内にトナーが補給される。
【００２０】
図４も参照して、磁気ローラ１３は、複数の磁極（磁気ローラ磁極）を有する固定マグネットローラ体１３ａを内包する非磁性の回転スリーブ１３ｂを有しており、図示の例では、固定マグネットローラ１３ａは３つのＮ極（Ｎ１極〜Ｎ３極）と２つのＳ極（Ｓ１極及びＳ２極）を有しており、回転スリーブ１３ｂの回転方向において、Ｎ１極とＮ２極との間にＳ１極が配置され、Ｎ３極とＮ１極との間にＳ２極が配置されている。
【００２１】
現像ローラ１４は非磁性の回転スリーブ１４ａを有しており、この回転スリーブ１４ａ内には一つの現像ローラ磁極体（マグネット体）１４ｂが配置され、この現像ローラ磁極体１４ｂは現像ローラ軸（回転軸体）１４ｃに固定されている。そして、後述するように、磁気ローラ１３及び現像ローラ１４は現像容器１１に回転可能に支持されている。
【００２２】
図示の例においては、この現像ローラ磁極体１４ｂには、固定マグネットローラ体１３ａのＮ１極と異磁極のＳ極が現像ローラ磁極として着磁されている。回転スリーブ１４ａは磁気ローラ１３とはその対面位置（対向位置）において所定のギャップをもって対向しており、現像ローラ磁極Ｓは所定のギャップを挟んで対向位置において磁気ローラ磁極Ｎ１と対向している。
【００２３】
再び図２を参照して、現像容器１１には、トナー層厚規制部材である穂切りブレード１５が回転スリーブ１３ｂの長手方向（図２において紙面の表側から裏側に延びる方向）に沿って取り付けられており、回転スリーブ１３ｂが図中実線矢印で示す方向に回転するとすると、穂切りブレード１５は、現像ローラ１４と磁気ローラ１３との対向位置よりも上流側に位置付けられている。そして、穂切りブレード１５の先端部と回転スリーブ１３ｂとの表面には僅かな隙間（ギャップ）が形成されている。
【００２４】
図１に示す現像装置１０においては、磁気ローラ１３には直流電圧（ＤＣ）３１ａが印加され、現像ローラ１４には直流電圧（ＤＣ）３０ａに交流電圧（ＡＣ）３０ｂが重畳されて現像バイアスとして印加されている。前述のように、攪拌ミキサー１２ａ及びパドルミキサー１２ｂによって、現像剤が攪拌されつつ現像容器１１内を循環してトナーを帯電させ、パドルミキサー１２ｂによって現像剤が磁気ローラ１３に搬送される。
【００２５】
そして、磁気ローラ１３上に磁気ブラシ（図示せず）を形成し、磁気ローラ１３上の磁気ブラシは穂切りブレード１５によって層厚規制されて、磁気ローラ１３と現像ローラ１４との間の電位差（│ＤＣ３１ａ−ＤＣ３０ａ│：以下Δで表す）によって現像ローラ１４にトナー薄層を形成する。そして、現像ローラ１４上のトナー薄層によって感光体ドラム４上の静電潜像が現像される。
【００２６】
なお、穂切りブレード１５と磁気ローラ１３とのギャップは０．３ｍｍ〜１．５ｍｍであり、同様に、磁気ローラ１３と現像ローラ１４とのギャップは０．３ｍｍ〜１．５ｍｍである。そして、前述の電位差Δを大きくすると、現像ローラ１４上のトナー薄層は厚くなり、電位差Δを小さくすると、現像ローラ１４上のトナー薄層は薄くなる。一般に、電位差Δは１００Ｖ〜２５０Ｖ程度に設定される。また、現像ローラ１４上のトナーは現像バイアスによって感光体ドラム４側に飛翔して、感光体ドラム４上の静電潜像が現像される（トナーの飛散を防止するため、交流（ＡＣ）３０ｂは現像を行う直前に印加される）。
【００２７】
感光体ドラム４と現像ローラ１４とのギャップは１５０μｍ〜４００μｍ、好ましくは２００μｍ〜３００μｍとされる。このギャップが１５０μｍ未満であると、画像カブリの要因となり、ギャップが４００μｍよりも広いとトナーを感光体ドラム４に飛翔させることができなくなって、十分な画像濃度を得ることができないばかりか、所謂選択現像を発生させる要因ともなる。
【００２８】
上述のようにして現像が行われた後、残留トナー層を有する現像ローラ１４は前述の対向位置において現像剤層を有する磁気ローラ１３と最接近し、この対向位置では、磁気ブラシによる機械的な力によって、現像ローラ１４上のトナー層が掻き取られるとともに、磁気ローラ１３と現像ローラ１４との間に形成される電位差（つまり、電界）に応じて磁気ローラ１３上の現像剤層からトナーが現像ローラ１４側に供給されることになる。
【００２９】
前述のように、対向位置において回転スリーブ１３ｂ及び１４ａの回転方向は互いに反対方向であり、磁気ローラ磁極Ｎ１に対向して異磁極の現像ローラ磁極Ｓ極が存在するから、磁気ローラ磁極Ｎ１と現像ローラ磁極Ｓ極との間に磁界が形成され、これによって、磁気ブラシの拘束力が強くなって、つまり、磁気ブラシが良好に形成されることになって、現像ローラ１４上のトナーがキャリアによる磁気ブラシによって機械的に掻き取られて、磁気ローラ１３側に引き戻される。
【００３０】
このようにして、磁気ブラシによるトナー掻き取り力を強くしたから、現像ローラ１４上に残ったトナーを確実に磁気ローラ側に回収することができ、現像履歴現象が生じることがない。
【００３１】
ここで、図５を参照して、前述のように、現像ローラ１４は回転スリーブ１４ａと現像ローラ磁極体１４ｂとを備えており、回転スリーブ１４ａ内には軸方向に延びる現像ローラ軸１４ｃが収納され、この現像ローラ軸１４ｃに現像ローラ磁極体１４ｂの一端側が固定され、他端側には現像ローラ磁極Ｓが形成されている。回転スリーブ１４ａの一端開口部（図中右端開口部）には軸部４１ａを有するキャップ体（フランジ体）４１が嵌合され、このキャップ体４１は磁性体（例えば、ＳＵＭ材又はＳＵＳ４３０系の材料）で構成されている。
【００３２】
一方、回転スリーブ１４ａの他端開口部（図中左端開口部）には、磁性体で形成されたキャップ体４２が嵌合されている。現像ローラ軸１４ｃの一端はキャップ体４１の内面側に配設された軸受け（図示せず）によって支持されており、現像ローラ軸１４ｃの他端はキャップ体４２を貫通して回転スリーブ１４ａの外側に延び、キャップ体４２に軸受け（図示せず）によって支持されている。そして、図示はしないが、現像ローラ軸１４ｃの他端は軸受けによって現像容器１１に回転可能に支持されている。
【００３３】
前述の軸部４１ａは、軸受け（図示せず）によって現像容器１１に回転可能に支持され、軸部４１ａには装着された駆動ギア（図示せず）を介してモータ等の駆動源（図示せず）から回転力が伝達されて、軸部４１ａが回転する（つまり、回転スリーブ１４ａが回転する）。
【００３４】
同様にして、磁気ローラ１３の回転スリーブ１３ｂ内には、軸方向に延びる磁気ローラ軸１３ｃが収納され、この磁気ローラ軸１３ｃに固定マグネットローラ体１３ａが支持されている。回転スリーブ１３ｂの一端開口部（図中右端開口部）には軸部５１ａを有するキャップ体５１（例えば、アルミニウム製）が嵌合されている。
【００３５】
一方、回転スリーブ１３ｂの他端開口部（図中左端開口部）には、キャップ体５２（例えば、アルミニウム製）が嵌合され、磁気ローラ軸１３ｃの一端はキャップ体５１の内面側に配設された軸受け（図示せず）によって支持されており、磁気ローラ軸１３ｃの他端はキャップ体５２を貫通して回転スリーブ１３ｂの外側に延び、キャップ体５２に軸受け（図示せず）によって支持されている。そして、図示はしないが、磁気ローラ軸１３ｃの他端は軸受けによって現像容器１１に支持されている。
【００３６】
前述の軸部５１ａは、軸受け（図示せず）によって現像容器１１に回転可能に支持され、軸部５１ａには装着された駆動ギア（図示せず）を介してモータ等の駆動源（図示せず）から回転力が伝達されて、軸部５１ａが回転する（つまり、回転スリーブ１３ｂが回転する）。
【００３７】
図５に示す例では、回転スリーブ１４ａの軸方向長さ（図５においてＬ１で示す）を回転スリーブ１３ｂの軸方向長さ（図５においてＬ２で示す）よりも短くして、つまり、磁気ブラシ形成領域をトナー層形成領域よりも長くして、これによって、感光体ドラム上に形成される静電潜像域を充分カバーするトナー薄層域を現像ロール側に得て、画像形成の際に感光体ドラム上に形成される静電潜像域の幅方向外側にトナー供給が不十分となることを防止して、現像ローラ１４の残存トナーの回収が不十分となることがないようにしている（特開２００３−１０７８９８公報参照）。
【００３８】
ところが、図５に示す現像装置においては、Ｌ１＜Ｌ２であるから不可避的に現像ローラ磁極体１４ｂの軸方向長さ（図５においてＬ３で示す）は固定マグネットローラ体１３ａの軸方向長さ（図５においてＬ４で示す）よりも短くなってしまう。その結果、現像ローラ磁極体１４ｂの外側に位置する回転スリーブ１４ａの表面（つまり、回転スリーブ１４ａの軸方向端部）には、現像ローラ磁極体１４ｂによる磁力は殆ど作用せず、回転スリーブ１４ａの軸方向端部においては、磁気ブラシのニップ幅が極めて小さくなってしまい、ゴースト及び画像濃度低下が発生することがある。
【００３９】
一方、前述のように、キャップ体４１及び４２は磁性体で構成されているので、キャップ体４１及び４２は現像ローラ磁極体１４ｂによって磁化される結果、固定マグネットローラ体１３ａと対向するキャップ体４１及び４２が恰も磁石として機能し、回転スリーブ１４ａの軸方向端部において磁力が作用することになって、回転スリーブ１４ａの軸方向端部における磁気ブラシのニップ幅が小さくなることを防止できる。この結果、回転スリーブ１４ａの軸方向端部におけるゴーストの発生及び画像濃度低下を確実に防止できる。
【産業上の利用可能性】
【００４０】
この現像装置では、回転スリーブの両端に磁性体のフランジ体を配設して、このフランジ体によって回転スリーブを回転軸体に回転可能に支持するとともに、回転スリーブ内に軸方向に延び一端側に現像ローラ磁極が形成され他端側が回転軸体に固定されたマグネット体を配設して、現像ローラ磁極を磁気ローラ磁極の一つと異磁極として磁気ローラ磁極の一つと対向させるようにしたから、現像ローラと磁気ローラとの最接近位置において磁気ブラシの拘束力が強くなって、良好な磁気ブラシが形成される結果、現像ローラ上の残ったトナーを確実に磁気ローラ側に回収できることになって、現像履歴現象を確実に防止できるばかりでなく、回転スリーブの軸方向端部においてはフランジ体が磁化されるため、回転スリーブの軸方向端部における磁気ブラシのニップ幅が小さくなることを防止でき、回転スリーブの軸方向端部におけるゴーストの発生及び画像濃度低下を確実に防止できる結果、複写機、プリンター、又はファクシミリ装置等の画像形成装置における現像装置に適用できる。
【図面の簡単な説明】
【００４１】
【図１】本発明の実施例１による現像装置が用いられる画像形成装置概略的に示す図である。
【図２】本発明の実施例１による現像装置を示す図である。
【図３】図２に示す現像装置における磁気ローラ及び現像ローラの配置関係を示す斜視図である。
【図４】図２に示す現像装置における磁気ローラ及び現像ローラの構造の一例を示す図である。
【図５】図２に示す現像装置における現像ローラの支持構造の一例を示す断面図である。
【符号の説明】
【００４２】
１    画像形成装置
２ａ〜２ｄ  画像形成ユニット
３    搬送ベルト
４    感光体ドラム
５    帯電器
６    露光ユニット
７    クリーニングユニット
８    転写器
９ｃ    定着ユニット
１０    現像装置
１１    現像容器
１２ａ    攪拌ミキサー
１２ｂ    パドルミキサー
１３    磁気ローラ
１３ｂ、１４ａ  回転スリーブ
１３ａ    固定マグネットローラ体
１３ｃ    磁気ローラ軸
１４    現像ローラ
１４ｂ    現像ローラ磁極体
１４ｃ    現像ローラ軸（回転軸体）
１５    穂切りブレード
４１、４２  キャップ体（フランジ体）
【図１】
2006106028.tif 000003
【図２】
2006106028.tif 000004
【図３】
2006106028.tif 000005
【図４】
2006106028.tif 000006
【図５】
2006106028.tif 000007